(57)【要約】【課題】園芸や農業用にハウス内で使用される燃焼器は一般家庭で使用されるものと違って、水やりや雨漏りまたは結露などで機器に水がかかってしまう可能性が高く、そこから機器内部に水が侵入してしまう恐れがあった。【解決手段】操作部５や日照センサ１３のように機器の外装に設けてある部品を覆う透明シート材料からなる防水カバー６を本体に着脱可能に設けた。よって、特別にシールを施さなくても燃焼器内へ水が侵入したり、部品が劣化するのを防止できる。また、防水カバー６は着脱可能なため、部品の取り替えを簡単に行うことができメンテナンス性も向上する。また、防水カバー６をつけたままでも操作部５の操作が可能であり、【選択図】        図１
2004169937.tif 000002
【特許請求の範囲】
【請求項１】
燃料を燃焼して燃焼排ガスを発生させる燃焼部と、操作部と、前記操作部を覆い燃焼器本体に着脱可能な透明樹脂シート材料よりなる防水カバーを具備することを特徴とする園芸用燃焼器。
【請求項２】
燃料を燃焼して燃焼排ガスを発生させる燃焼部と、周囲の明るさを検知する日照センサと、操作部と、前記日照センサと前記操作部を覆い燃焼器本体に着脱可能な透明樹脂シート材料よりなる防水カバーを具備することを特徴とする園芸用燃焼器。
【請求項３】
前記防水カバーは、燃焼器本体に嵌合する形状であることを特徴とする請求項１または２に記載の園芸用燃焼器。
【請求項４】
前記防水カバーは工具等を用いなくても取り外し可能な部材により燃焼器本体に取付られることを特徴とする請求項３に記載の園芸用燃焼器。
【請求項５】
前記防水カバーは外周にフランジ部を有することを特徴とする請求項４に記載の園芸用燃焼器。
【請求項６】
前記フランジ部は、水を排出するための排出孔と、前記排出孔に水を案内する傾斜部を有することを特徴とする請求項５に記載の園芸用燃焼器。
【発明の詳細な説明】
【０００１】
【発明が属する技術分野】
本発明は、液体燃料を燃焼して燃焼排ガスを発生させる燃焼器に関して、特に園芸や農業に用いられる燃焼器に関するものである。
【０００２】
【従来の技術】
従来、園芸や農業用の作物の育成のために用いられる燃焼器としては図６に示すようなものがある。図６はハウス内に設置されて温度管理の必要な園芸用の植物を育てるための燃焼器であって、燃焼器本体１の内部には灯油やガスなどの燃料を燃焼して燃焼排ガスを発生させる燃焼部を有しており、燃焼器本体１上部には操作部５が設けられた構成となっている（例えば、特許文献１参照）。
【０００３】
またさらに図６の燃焼器本体１の上面に日照センサ（図示せず）を設け、この日照センサが検出する周囲の明るさによって燃焼器の動作を制御して、植物が光合成をするのに必要な二酸化炭素を効果的に発生させ、農作物の育成を促進させるように構成されたものもある（例えば、特許文献２参照）。
【０００４】
そして、このように園芸や農業用にハウス内で使用される燃焼器は一般家庭で使用されるものと違って、水やりや雨漏りまたは結露などで機器に水がかかってしまう可能性が高いため、操作部５や日照センサに水がかかっても水が内部に侵入したりしないように操作部５や日照センサには厳重にシールを施している。
【０００５】
【特許文献１】
実開平５−７６２５６号公報
【特許文献２】
特開平１０−２２７４４８号公報
【０００６】
【発明が解決しようとする課題】
ところが、このような構成ではシールを施す手間がかかる分だけ機器の組立時の効率が悪く、また、部品の劣化に伴って操作部や日照センサを交換する際には、再度シールを確実に施さなくてはならないためメンテナンス性に欠けるといった問題があった。そして、シールを施しているといってもシール部分が直接水に触れる可能性は高いため、水がかかればそれだけ部品の劣化も早くなりシールの剥げにもつながってしまう。そして、操作部や日照センサにはシールを施して水の侵入を防止しているが、機器本体上面と側面の接合部分や外装の孔などの隙間にはなんら防水の加工を行っていないために、燃焼器の上面についた水滴が外装をつたって、本体機器内部に侵入することもある。
【０００７】
そのため、実際には燃焼器の上に板等を載せ、燃焼器が直接水に触れないようにして使用していることも多い。しかし、板は機器本体に固定されていないため、風や物がぶつかった際の衝撃で飛んでしまったり、板を乗せたせいで操作部の表示が見えづらくなり、機器の操作をするためにはその都度板を外さなくてはならない等の欠点もあるため、あまり使い勝手がよいとは言えない。
【０００８】
また、例えばハウスを一般の人に開放しているような観光農園などで使用する場合には、機器の上に板を乗せていては利用者に乱雑な印象を与えかねないし、デザイン性にも欠けるといった問題もある。
【０００９】
本発明は上記課題を解決するためのもので、面倒なシールを施すことなく機器に水が侵入するのを防止することのできる燃焼器を提供することを目的とする。
【００１０】
【課題を解決するための手段】
請求項１記載の発明は、燃料を燃焼して燃焼排ガスを発生させる燃焼部と、操作部と、前記操作部を覆い燃焼器本体に着脱可能な透明樹脂シート材料よりなる防水カバーを具備する。
【００１１】
請求項２記載の発明は、燃料を燃焼して燃焼排ガスを発生させる燃焼部と、周囲の明るさを検知する日照センサと、操作部と、前記日照センサと前記操作部を覆い燃焼器本体に着脱可能な透明樹脂シート材料よりなる防水カバーを具備する。
【００１２】
すなわち請求項１および２記載の発明では、水がかかりやすい部品は防水カバーで覆われているので、特別にシールを施さなくても燃焼器内へ水が侵入したり、部品が劣化するのを防止し、また、防水カバーは着脱可能なため、部品の取り替えも簡単に行うことができる。さらに防水カバーを透明樹脂シート材料とすることで、操作部の視認性にも優れ、また照度センサーに影響を与えることがないだけでなく透明樹脂シート材料は柔らかいことから、防水カバーを付けたままで操作部の操作が可能となる。
【００１３】
請求項３記載の発明は、請求項１または２に記載の発明において、前記防水カバーは、燃焼器本体に嵌合する形状であるものとする。
【００１４】
すなわち請求項３記載の発明では、多少の風や衝撃が加わっても、機器本体から外れにくいとともに、本体に取り付けたときにデザイン性を損なうこともない。
【００１５】
請求項４記載の発明は、請求項３に記載の発明において、前記防水カバーは工具等を用いなくても取り外し可能な部材により燃焼器本体に取付られる。
【００１６】
すなわち請求項４記載の発明では、部材を用いて防水カバーを機器本体に取り付けるので、風や衝撃が加わっても外れることがなく、また、部材は手で簡単に取り外しが可能なため使い勝手がよい。
【００１７】
請求項５記載の発明は、請求項４に記載の発明において、前記防水カバーは外周にフランジ部を有するものとする。
【００１８】
すなわち請求項５記載の発明では、防水カバーに付いた水滴はフランジ部に集まり、そこから落滴するので、機器外装面に水滴が付着しない。
【００１９】
請求項６の発明は、請求項５に記載の発明において、前記フランジ部は、水を排出するための排出孔と、前記排出孔に水を案内する傾斜部を有しているものとする。
【００２０】
すなわち請求項６記載の発明では、フランジに溜まった水はフランジの傾斜面に沿って、速やかに排出孔から流れ落ちるようになる。
【００２１】
【発明の実施の形態】
以下、本発明の実施例を添付の図面をもとに説明する。
【００２２】
（実施例１）本発明の実施例１の燃焼器を図１から図４をもとに説明する。図１は燃焼器の外観図であって、本体１の内部には燃料を燃焼して燃焼排ガスを発生させる燃焼部２が設けられている。この燃焼部２は燃焼させる燃料によって種々の構造が適用されるが、本実施例では例として図２に示すように、液体燃料を加熱気化する気化器３と、気化器３により加熱気化された液体燃料を燃焼して燃焼ガスを発生させるバーナ４から構成されているものとして説明する。そして、本体１の上面には操作部５が設けられていて、この操作部５を覆うようにして防水カバー６が本体１に着脱可能に取付けられている。また、操作部５は各種操作ボタンを有する他に、室温や運転状態が表示される構成となっており、そして、本体１の前面には燃焼部２で発生した燃焼ガスを本体１外に排出するための吹出口７が設けられている。
【００２３】
防水カバー６は柔軟性を有する透明の樹脂シート材料から形成されている。防水カバー６を透明とすることで、防水カバー６を本体１に取り付けたままでも操作部５に表示される室温や運転状態が見えるようになり、また、樹脂シート材料は柔軟性を有しているため、防水カバー６を付けたままの操作部５のボタン操作を可能とする。
【００２４】
そして、図３は防水カバー６の形状を表した図である。防水カバー６は本体１に装着した際にデザイン性を損なわないよう、本体１に嵌合する形状となっている。さらに両脇にはネジ孔８を有しており、これと本体１に設けられたネジ孔９とを化粧ネジ等の工具を用いなくても付け外しができるネジを差し込んで固定するようになっている。従って、風が吹いたり物がぶつかった際の衝撃などを受けても防水カバー６が外れる心配はなく、しかもネジは手で取り外しできるので、メンテナンスの際の防水カバー６の取り外しも簡単である。
【００２５】
さらに防水カバー６の操作部５に対応する面は、ボタン操作がし易いように操作部５の形状に合わせた凹凸１０を有している。ただし、この凹凸１０は防水カバー６を装着したときにボタンが押しっぱなしになることを防止するために、ボタンとの間に一定の距離を有するように設けられている。
【００２６】
そして図４の防水カバー６の側面図が示すように、防水カバー６の外周にはフランジ部１１が形成されていて、水がかかった場合、防水カバー６に付いた水滴は外周のフランジ部１１に集まる。また、フランジ部１１の四隅にはそれぞれ排出孔１２が設けられており、フランジ部１１に溜まった水はこの排出孔１２から流れ落ちるようになっている。つまり、フランジ部１１を設けることで、本体１の外装面には水が付かないので、接合面や孔などから内部に水が侵入するのを防止する役割を果たす。
【００２７】
また、フランジ部１１は傾斜部１３を有する形状となっているので、フランジ部１１に集まった水はこの傾斜によって排出孔１２に向かって流れるため、フランジ部１１に溜まった水は速やかに排出孔１２より排出される。
【００２８】
次に、このように構成された燃焼器の動作を説明すると、まず運転が開始されると気化器３に内蔵されたヒータにより気化器３の加熱が開始される。そして、気化器３の温度が液体燃料を気化することが可能な温度になると、気化器３へ液体燃料が供給され、気化器３へ供給された液体燃料は加熱されて気化ガスとなり、バーナ４に向かって噴出する。このとき、気化ガスは空気と混合された混合ガスとなってバーナ４に供給され、そして、バーナ４に供給された混合ガスが点火されて燃焼を開始し、バーナ４の燃焼により発生した燃焼ガスは温風となって吹出口７から本体１外に排出される。
【００２９】
ハウス内の温度を調整するときは、操作部５のボタンを操作して設定温度を変更する。また、燃焼器はハウス内の温度を検知しており、検知温度が設定温度より所定温度以上高くなると自動的に運転を停止し、検知温度が設定温度より所定温度以上低くなると自動的に運転を開始してハウス内の温度を維持するように制御されている。なお、防水カバー６は透明の樹脂シートから形成されているため、防水カバー６を付けたままでも温度を確認したりボタンを操作することが可能である。
【００３０】
（実施例２）図５は本発明の第２実施例の燃焼器を表した図である。なお、第１実施例と同じ構成部品には同じ符号を付し、説明は省略する。
【００３１】
図５において、本体１の上部には周囲の明るさを検知する日照センサ１４が設けられており、操作部５と日照センサ１４を覆うようにして防水カバー６が本体１に着脱可能に設けられている。なお、防水カバー６は透明なため、防水カバー６を付けたままでも操作部５の温度表示が見えるとともに、日照センサ１４が検知する明るさに影響を与えることはない。
【００３２】
そして、日照センサ１４が検出する周囲の明るさによって燃焼器の動作を制御して、植物が光合成をするのに必要な二酸化炭素を含む燃焼排ガスを効果的に発生させ、農作物の育成を促進させるように構成されている。そのため、日中と夜間とで異なる温度設定ができるようになっており、この日照センサ１４の検出結果によって日中および夜間のどちらの温度を設定するかが決定される。
【００３３】
つまり、植物が光合成を行う際には二酸化炭素が必要であるため、日中は設定温度を高くするとともに、燃焼排ガスに含まれる二酸化炭素を多量に供給し、反対に夜間は植物の光合成が行われないため、設定温度を低くするとともに、燃焼排ガスの量を少なくしてハウス内の二酸化炭素濃度が高くなるのを防いでいる。
【００３４】
なお、本実施例では、燃焼部２として灯油を気化して燃焼させる気化式の燃焼部を用いて説明したが、その他の燃焼方式としても構わない。また灯油のような液体燃料に限らず、ガスを用いた燃焼器にも適用ができる。
【００３５】
【発明の効果】
以上に説明したように、本発明の請求項１および２記載の発明によれば、操作部や日照センサなど燃焼器の本体表面に設けられていて水がかかりやすい部品は防水カバーで覆われているので、特別にシールを施さなくても燃焼器内へ水が侵入したり、部品が劣化するのを防止し、また、防水カバーは着脱可能なため、部品の取り替えも簡単に行うことができる。さらに防水カバーを透明樹脂シート材料とすることで、操作部の視認性にも優れ、また照度センサーに影響を与えることがないだけでなく透明樹脂シート材料は柔らかいことから、防水カバーを付けたままで操作部の操作が可能となる。
【００３６】
また、請求項３記載の発明によれば、多少の風や衝撃が加わっても、機器本体から外れにくいとともに、デザイン性を損なうこともない。
【００３７】
また、請求項４記載の発明では、風や衝撃が加わっても外れることがなく、また、部材は手で簡単に取り外しが可能なため使い勝手がよい。
【００３８】
また、請求項５記載の発明では、機器に水滴が付着しないため外装からの水の侵入も防止できる。
【００３９】
また、請求項６記載の発明では、フランジに溜まった水はフランジの傾斜面に従って速やかに排出孔から流れ落ちるようになる。
【図面の簡単な説明】
【図１】本発明の第１の実施例の燃焼器の外観図である。
【図２】本発明の実施例の燃焼部の構造図である。
【図３】本発明の実施例の防水カバーを表した図である。
【図４】本実施例の防水カバーの側面図である。
【図５】本発明の第２の実施例の燃焼器の外観図である。
【図６】従来の燃焼器の外観図である。
【符号の説明】
２    燃焼部
５    操作部
６    防水カバー
１４  日照センサ
１１  フランジ部
１２  排出孔
１３  傾斜部
【図１】
2004169937.tif 000003
【図２】
2004169937.tif 000004
【図３】
2004169937.tif 000005
【図４】
2004169937.tif 000006
【図５】
2004169937.tif 000007
【図６】
2004169937.tif 000008